(57)【要約】【課題】壁掛け棚自体の意匠性を向上させるとともに、意匠性向上に寄与する部位を利用して、棚に載置した物品が棚の前方に落下する事態を防止・抑制可能な壁掛け棚を提供する。【解決手段】１枚の板状部材Ｐから構成される壁掛け棚本体１を主体とし、壁掛け棚本体１が、壁面への被取付部２１を有する後壁２と、略水平の底壁３と、底壁３の前縁に沿って起立する前壁４とを連続的に備え、板状部材Ｐの状態で少なくとも一方の面に意匠が施されており、底壁３と後壁２との境界に略直角をなす第１屈曲部Ｃ１が形成され、底壁３と前壁４との境界に略直角をなす第２屈曲部Ｃ２が形成された構成にした。【選択図】図３
2020110280.tif 000002
【特許請求の範囲】
【請求項１】
１枚の板状部材から構成される壁掛け棚本体を主体とし、
前記壁掛け棚本体が、
壁面への被取付部を有する後壁と、
略水平の底壁と、
前記底壁の前縁に沿って起立する前壁とを連続的に備え、
前記板状部材の状態で少なくとも一方の面に意匠が施されており、
前記底壁と前記後壁との境界に略直角をなす第１屈曲部が形成され、
前記底壁と前記前壁との境界に略直角をなす第２屈曲部が形成されたものであることを特徴とする壁掛け棚。
【請求項２】
前記１枚の板状部材は、透明または半透明のアクリル板である請求項１に記載の壁掛け棚。
【請求項３】
前記底壁に載置される照明装置と、前記照明装置を覆う上向き面が略水平なカバーとをさらに備えている請求項１又は２に記載の壁掛け棚。
【請求項４】
前記壁掛け棚本体にＬＥＤ電球を埋設している請求項１乃至３の何れかに記載の壁掛け棚。
【発明の詳細な説明】
【技術分野】
【０００１】
本発明は、壁面に取り付けて使用可能な壁掛け棚に関するものである。
【背景技術】
【０００２】
従来より、壁面に取り付けて使用可能な壁掛け棚として、左右の側板と、側板同士の上部に掛け渡された天板と、側板同士の背部に掛け渡された背板とを備え、背板の裏面に設けた受け金具を壁に固定された取付け金具に取り付けることで、天板の上向き面に適宜の物品を載置可能な棚が知られている（例えば特許文献１）。
【先行技術文献】
【特許文献】
【０００３】
【特許文献１】実用新案登録第３１９９８００号公報
【発明の概要】
【発明が解決しようとする課題】
【０００４】
ところで、上述したような構成の壁掛け棚は、天板の上向き面に物品を載置することで飾り棚として活用することができる一方で、壁掛け棚自体の意匠性を向上させる特別な加工は施されていないのが一般的である。また、天板に載置した物品が不意な振動等によって転倒した場合に天板の前方からそのまま落下するおそれもある。
【０００５】
本発明は、このような点に着目してなされたものであって、主たる目的は、壁掛け棚自体の意匠性を向上させるとともに、意匠性向上に寄与する部位を利用して、棚に載置した物品が棚の前方に落下する事態を防止・抑制可能な壁掛け棚を提供することにある。
【課題を解決するための手段】
【０００６】
すなわち、本発明に係る壁掛け棚は、１枚の板状部材から構成される壁掛け棚本体を主体とし、壁掛け棚本体が、壁面への被取付部を有する後壁と、略水平の底壁と、底壁の前縁に沿って起立する前壁とを連続的に備え、板状部材の状態で少なくとも一方の面に意匠が施されており、底壁と後壁との境界に略直角をなす第１屈曲部が形成され、底壁と前壁との境界に略直角をなす第２屈曲部が形成されたものであることを特徴としている。
【０００７】
ここで、板状部材の状態で少なくとも一方の面に施される意匠の具体例としては、スクリーン印刷等の印刷や孔を挙げることができる。本発明の棚掛け壁は、印刷を板状部材の状態で両面に施したものであってもよいし、何れか一方の面のみに施したものであってもよい。印刷する領域は、印刷対象面の全体（全体印刷）であってもよいし、部分的（部分印刷）であってもよい。また、孔は、板状部材の厚み方向に貫通したものであってもよいし、貫通していない孔（凹み）であってもよい。後壁が有する被取付部は、マグネット、ピン、釘、貫通孔、引っ掛け孔等、後壁を壁面に止着可能なものであればよく、具体的な止着態様の内容や種類は特に問わない。また、本発明における「後壁、底壁、前壁」の形状は任意であり、意匠に応じて適宜の形状に設定することができる。
【０００８】
このような本発明に係る壁掛け棚であれば、板状部材の状態で少なくとも何れか一方の面に施した意匠によって前壁から後壁に向かう奥行き感のある高いデザイン性を発揮し、特に、板状部材の状態で、後壁及び前壁に該当する領域に意匠を施した場合には、壁掛け棚を正面から見ると、前壁に施した意匠と後壁に施した意匠とによって奥行き感のあるデザインを作り出すことができるとともに、水平な底壁の上向き面に物品を載置した場合には、底壁の前縁に沿って起立する前壁によって物品が棚の前方へ落下する事態を前壁によって防止・抑制することができる。
【０００９】
本発明における１枚の板状部材として、透明または半透明のアクリル板を適用した場合には、材料費のコスト削減を図ることができるとともに、透明または半透明の特性を利用した意匠を施すことで、デザイン性の向上を図ることができる。
【００１０】
本発明に係る壁掛け棚が、底壁に載置される照明装置と、照明装置を覆う上向き面が略水平なカバーとをさらに備えたものであれば、部分照明として機能するアクセントのある壁掛け棚になり、カバーの上向き面に物品を載置すれば、物品に光を当てることができ、照明に応じた雰囲気を醸し出すことができる。特に、１枚の板状部材及びカバーが透光性を有するものであれば、照明装置による光が透光性を有するカバー及び壁掛け棚本体を透過して照明光となる。
【００１１】
また、本発明には、底壁に載置される照明装置とは別に壁掛け棚本体にＬＥＤ電球を埋設した壁掛け棚や、底壁に照明装置が載置されず、壁掛け棚本体にＬＥＤ電球を埋設した壁掛け棚も含まれる。
【発明の効果】
【００１２】
本発明によれば、適宜の意匠を施した一枚の板状部材から折り曲げ加工によって連続する後壁、底壁及び前壁を成形することで、前壁から後壁に亘って奥行き感の出る高い意匠性を実現するとともに、意匠性向上に寄与する部位である前壁を利用して、底壁に載置した物品が前方に落下する事態を防止・抑制可能な壁掛け棚を提供することができる。
【図面の簡単な説明】
【００１３】
【図１】本発明の一実施形態に係る壁掛け棚の全体図。
【図２】同実施形態に係る壁掛け棚の使用状態を図１に対応して示す図。
【図３】図２に示す同実施形態に係る壁掛け棚の側面模式図。
【図４】同実施形態における板状部材をオモテ面側から見た図。
【図５】同実施形態における板状部材をウラ面側から見た図。
【図６】同実施形態に係る壁掛け棚の他の例を示す図。
【発明を実施するための形態】
【００１４】
以下、本発明の一実施形態を、図面を参照して説明する。
【００１５】
本実施形態に係る壁掛け棚Ｘは、図１（同図（ａ）、（ｂ）は壁掛け棚Ｘの正面図、背面図である）に示すように、１枚の板状部材Ｐから構成される壁掛け棚本体１を主体とするものである。本実施形態に係る壁掛け棚Ｘは、壁掛け棚本体１の後壁２を図示しない適宜の壁面に取り付けた状態で使用することができ、図２及び図３に示すように、後壁２の下端から前方に突出する略水平な底壁３に適宜の物品Ｙを載置可能に構成されたものである。なお、図２（ａ）、（ｂ）及び図３は、それぞれ底壁３に物品Ｙ（雪だるまの形態）を載置した壁掛け棚Ｘの正面図、背面図、側面図である。
【００１６】
板状部材Ｐは、所定の厚みを有するものであり、本実施形態では、透明または半透明のアクリル板を適用している。本実施形態の壁掛け棚Ｘは、図４及び図５に示すように、一枚の板状部材Ｐを所定方向Ｍに連続する３つの領域、具体的には、所定方向に連続する後壁領域Ｐ２、底壁領域Ｐ３、前壁領域Ｐ４に区画し（同図では各領域Ｐ２，Ｐ３，Ｐ４の境界部分を点線Ｌ１，Ｌ２で示す）、後壁領域Ｐ２と底壁領域Ｐ３との境界部分Ｌ１を略直角に折り曲げるとともに、底壁領域Ｐ３と前壁領域Ｐ４との境界部分Ｌ２を略直角に折り曲げることで、後壁２、底壁３及び前壁４を一体に有する壁掛け棚本体１を成形したものである。板状部材Ｐのうち壁掛け棚本体１における底壁３の上向き面３Ａ（図３参照）と連続する面をオモテ面ＰＡとし、その反対側の面（壁掛け棚本体１における底壁３の下向き面３Ｂと連続する面）をウラ面ＰＢとした場合、図４はオモテ面ＰＡ側から見た板状部材Ｐの全体図であり、図５はウラ面ＰＢ側から見た板状部材Ｐの全体図である。
【００１７】
壁掛け棚本体１は、後壁２が備える壁面への被取付部２１を利用して壁面に取り付けた状態で、底壁３の上向き面３Ａに適宜の物品Ｙを載置することが可能である。後壁２が備える被取付部２１として、本実施形態では、図１に示すように、後壁２における所定の複数箇所（図示例では上縁の左右の隅近傍）に形成した取付用貫通孔を適用している。
【００１８】
本実施形態では、全体に亘って幅寸法が一定である板状部材Ｐを適用し、後壁領域Ｐ２、底壁領域Ｐ３及び前壁領域Ｐ４が連続する方向（連続方向Ｍ）における後壁２の寸法を、同一方向における前壁４の寸法よりも大きく設定している。これにより、壁掛け棚本体１における後壁２は前壁４よりも高い壁となる。また、本実施形態では、図４及び図５に示すように、板状部材Ｐのうち前壁領域Ｐ４に、「ドドーン」の文字をインパクトのある独特な書体で印刷し、前壁領域Ｐ４のうち底壁領域Ｐ３から遠い側の縁を、この書体の外縁に沿った形状に設定している。したがって、図１に示すように、壁掛け棚本体１における前壁４の上縁は、直線的な形態ではなく、不規則な形態となって現れる。
【００１９】
さらに、本実施形態では、板状部材Ｐのうち後壁領域Ｐ２及び底壁領域Ｐ３に亘って連続する背景を印刷している。この背景印刷部分ＰＤは、後壁領域Ｐ２及び底壁領域Ｐ３の全体に亘る部分に設定することも可能であるが、本実施形態では、後壁領域Ｐ２及び底壁領域Ｐ３の左右両サイドの所定領域と、後壁領域Ｐ２のうち連続方向Ｍにおいて底壁領域Ｐ３から遠い側の縁の所定領域と、底壁領域Ｐ３のうち連続方向Ｍにおいて後壁領域Ｐ２から遠い側の縁（前壁領域Ｐ４に連続する側の縁）の所定領域を、印刷しない未印刷領域に設定している。印刷内容（図形）の一例として、図４及び図５に示すように、矩形の枠Ｗと、枠Ｗ内の所定部分から枠Ｗの縁に向かって放射状に延伸する複数の直線Ｓを、間隔や長さをランダムに異ならせたものを挙げることができる。
【００２０】
本実施形態に係る壁掛け棚Ｘは、板状部材Ｐの状態で一方の面にのみ上述の印刷内容（文字と図形）をスクリーン印刷またはインクジェット印刷によって施している。具体的には、板状部材Ｐのうちウラ面ＰＢにのみスクリーン印刷またはインクジェット印刷を施している。したがって、印刷処理終了時点で、透明または半透明素材からなる板状部材Ｐのオモテ面ＰＡには、文字及び図形がそれぞれ表裏反転した内容で表れる（図４参照）。なお、スクリーン印刷やインクジェット印刷以外の印刷処理を適用することもできる。
【００２１】
このような印刷処理を施した板状部材Ｐに対して、後壁領域Ｐ２と底壁領域Ｐ３との境界部分Ｌ１（図４に示す点線Ｌ１）を略直角に折り曲げる（谷折りする）とともに、底壁領域Ｐ３と前壁領域Ｐ４との境界部分Ｌ２（図４に示す点線Ｌ２）を略直角に折り曲げる（谷折りする）処理を経ると、後壁２、底壁３及び前壁４を一体に有する壁掛け棚本体１を成形することができる。
【００２２】
図２に示すように、底壁３と後壁２との境界に略直角をなす第１屈曲部Ｃ１が形成され、且つ底壁３と前壁４との境界に略直角をなす第２屈曲部Ｃ２が形成された本実施形態に係る壁掛け棚Ｘは、後壁２の被取付部２１（取付用孔）を利用して壁面に取り付けると、底壁３の上向き面３Ａに適宜の物品Ｙを載置することが可能な壁掛け飾り棚として使用することができる。この取付状態では、後壁２のうち背面が壁面に接触し、後壁２よりも前方の位置に前壁４が配置され、正面から見ると、後壁２に施した印刷内容（図形）と、前壁４に施した印刷内容（文字）が重なり、奥行き感のあるデザインになる。特に、底壁３の上向き面３Ａに物品Ｙを載置した場合には、当該物品Ｙが前壁４よりも奥方であって且つ後壁２よりも手前に存在することで、デザインの奥行き感がより鮮明となり、斬新な印象をユーザに与える壁掛け飾り棚になる。
【００２３】
このように、本実施形態に係る壁掛け棚Ｘによれば、棚自体に高い意匠性を付与することができるとともに、略水平な底壁３の上向き面３Ａに物品Ｙを載置した場合には、底壁３の前縁に沿って起立する前壁４によって物品Ｙが棚Ｘの前方へ落下する事態を防止・抑制することができる。特に、本実施形態に係る壁掛け棚Ｘは、板状部材Ｐの状態で、後壁２及び前壁４に該当する領域（後壁領域Ｐ２、前壁領域Ｐ４）に意匠を施しているため、壁掛け棚Ｘを正面から見ると、前壁４に施した意匠と後壁２に施した意匠によって奥行き感のあるデザインを作り出すことができる。さらに、板状部材Ｐの状態で、底壁３に該当する領域（底壁領域Ｐ３）にも意匠を施していることで、棚Ｘ全体としての意匠性を高めることができる。
【００２４】
加えて、本実施形態に係る壁掛け棚Ｘは、板状部材Ｐのうち、底壁３の上向き面３Ａを形成する面と連続するオモテ面ＰＡとは反対のウラ面ＰＢに印刷処理を施しているため、板状部材Ｐから折り曲げ加工によって壁掛け棚本体１を成形した後に、底壁３に載置した物品Ｙが印刷処理面と接触せず、印刷部分が物品Ｙとの接触によって汚れたり、削れて一部欠損する等の不具合を回避することができる。
【００２５】
さらに、本実施形態に係る壁掛け棚Ｘは、１枚の板状部材Ｐとして、透明または半透明のアクリル板を適用しているため、材料費のコスト削減を図ることができるとともに、奥行き方向に重なる前壁４と後壁２にそれぞれ施した意匠（本実施形態であれば前壁４の文字印刷と後壁２の図形印刷）を正面から視認することができ、デザイン性が向上する。
【００２６】
なお、本発明は上述した実施形態に限定されるものではない。例えば、壁掛け棚本体１に加えて、図６に示すように、底壁３に載置される照明装置６と、照明装置６を覆う上向き面が略水平なカバー７とを備えた壁掛け棚Ｘであってもよい。このような壁掛け棚Ｘであれば、照明として機能するアクセントのある壁掛け棚Ｘになり、カバー７の上向き面に物品Ｙを載置すれば、物品Ｙに対して下方から光を当てることができ、光によって物品Ｙが浮かび出ているような雰囲気を醸し出すことができる。この場合、板状部材Ｐ及びカバー７が透光性を有するものであれば、照明装置６による光が透光性を有するカバー７及び壁掛け棚本体１を透過して照明光となり、壁掛け棚Ｘをセットした壁面周辺を照らす間接照明として機能する。
【００２７】
本発明は、照明装置を底壁の幅方向全域に亘って連続的に設けた構成や、照明装置を底壁の所定領域にのみ部分的に設けた構成、あるいは、底壁の幅方向に沿って所定ピッチで設けた構成、これら全ての構成を包含する。カバーは、少なくとも照明装置の上方を覆うことが可能なサイズであれば十分であり、例えば、図６に示すように、照明装置６の上方に配置される天井壁７１と、天井壁７１の後縁及び前縁からそれぞれ略鉛直方向に垂下し且つ下端が壁掛け棚本体１の底壁３に接触または近接するカバー後壁７２及びカバー前壁７３とを一体または一体的に有するものが好ましい。
【００２８】
また、本発明では、壁掛け棚本体にＬＥＤ電球を埋設した構成を採用してもよい。この場合、板状部材の状態で、当該板状部材の所定領域にＬＥＤ電球埋設用孔を形成し、ＬＥＤ電球埋設用孔にＬＥＤ電球を嵌めて取り付けるとともに、板状部材の適宜箇所に透明の配線をスクリーン印刷処理することで、ＬＥＤ電球による発光機能を有する壁掛け棚を実現することができる。ＬＥＤ電球の光によって例えば星座や流れ星の模様を綺麗に表現することができる。電源は、壁掛け棚本体の適宜箇所に実装してもよいし、外部電源を利用することもできる。
【００２９】
本発明の壁掛け棚は、板状部材のうち、底壁の上向き面を形成する面と連続するオモテ面に印刷処理を施した構成を採用したり、オモテ面及びウラ面の両方に印刷処理を施した構成であっても構わない。
【００３０】
また、本発明の壁掛け棚は、図形のみの意匠を板状部材に施したもの、文字のみの意匠を板状部材に施したもの、図形及び文字を板状部材に施したもの、さらには、板状部材のうち後壁領域、底壁領域、前壁領域の何れかの領域にのみ意匠を施したもの、選択した２つの領域（例えば後壁領域と前壁領域）にのみ意匠を施したものであってもよい。
【００３１】
本発明における「１枚の板状部材に施す意匠」は、印刷処理によって表れる意匠、孔（貫通孔または貫通していない孔）を形成することで表れる意匠、他の部分よりも出っ張った部分を形成することで表れる意匠等、彫り込む処理によって表れる意匠、塗料を吹き付けたり、塗布する処理によって表れる意匠、これら全てを包含する。
【００３２】
さらに、板状部材に施す意匠は、複数種類の処理（例えば印刷処理と穿孔処理）によって実現されるものであってもよい。
【００３３】
壁掛け棚本体の形態もまた特に限定されず、例えば、乗物や動物、あるいは瓶等、適宜のものを模した形態の壁掛け本体を適用することができる。壁掛け棚本体の後壁と前壁とで全く関連の無い意匠（外観や観念（意味）において関連の無い意匠）を施した壁掛け棚であってもよい。
【００３４】
また、後壁の背面にマグネットシートを固着し、マグネットシートの磁力を利用して壁面にセット可能な壁掛け棚であっても構わない。
【００３５】
壁掛け棚本体の所定部分に磁石やフック等を取り付けて、キーホルダー等の小物を磁力で吸着させたり、フックに引っ掛けるように構成してもよい。
【００３６】
本発明では、壁掛け棚本体として、アクリル樹脂製以外のもの、例えば、金属製、木製のものを適用することも可能である。
【００３７】
また、本発明の壁掛け棚は、壁掛け棚本体の底壁を机等の天板に置いた状態で利用（観賞用棚として利用）することもできる。さらには、本発明の壁掛け棚は、底壁を壁面に取り付けて、後壁と前壁が上下方向に向かい合う姿勢で使用することも可能である。
【００３８】
また、底壁に対して後壁又は前壁の何れかのみを略直角に垂下させた形態や、両方を略直角に垂下させた形態であっても構わない。
【００３９】
その他、各部の具体的構成についても上記実施形態に限られるものではなく、本発明の趣旨を逸脱しない範囲で種々変形が可能である。
【符号の説明】
【００４０】
１…壁掛け棚本体
２１…被取付部
２…後壁
３…底壁
４…前壁
Ｃ１…第１屈曲部
Ｃ２…第２屈曲部
Ｐ…板状部材
Ｘ…壁掛け棚
【図１】
2020110280.tif 000003
【図２】
2020110280.tif 000004
【図３】
2020110280.tif 000005
【図４】
2020110280.tif 000006
【図５】
2020110280.tif 000007
【図６】
2020110280.tif 000008